(57)【特許請求の範囲】
【請求項１】
秤量室が形成された本体と、
前記秤量室の底面に設けられ、試料が載置される秤量皿と、
前記秤量室内に挿入された仕切部材とを備え、
前記仕切部材は、前記秤量室を仕切る仕切板と、前記秤量室の底面に当接した第１の姿勢で前記仕切板を支持する第１支持部と、前記第１支持部が前記第１の姿勢のときに前記秤量室における底面以外の内面に当接して前記仕切板を支持する第２支持部とを有することを特徴とする電子天秤。
【請求項２】
前記仕切板は、前記第１支持部が前記第１の姿勢とは異なる第２の姿勢で前記秤量室の底面に当接したときに、前記第２支持部が前記底面以外の内面に当接しない状態で支持されることを特徴とする請求項１に記載の電子天秤。
【請求項３】
前記第２支持部は、前記仕切板に対して前記第１支持部側とは反対側に設けられていることを特徴とする請求項１又は２に記載の電子天秤。
【請求項４】
前記第１支持部は、前記仕切板に連結された支柱により構成されていることを特徴とする請求項１〜３のいずれかに記載の電子天秤。
【請求項５】
前記第１支持部は、２本の前記支柱により構成されていることを特徴とする請求項４に記載の電子天秤。
【請求項６】
前記２本の支柱の間隔が、前記秤量皿の外径よりも大きいことを特徴とする請求項５に記載の電子天秤。
【請求項７】
前記第２支持部は、前記仕切板の縁部により構成されていることを特徴とする請求項１〜６のいずれかに記載の電子天秤。
【請求項８】
前記第１支持部は、伸縮機構を備えていることを特徴とする請求項１〜７のいずれかに記載の電子天秤。
【請求項９】
電子天秤の秤量室内に挿入される電子天秤用仕切部材であって、
前記秤量室を仕切る仕切板と、
前記秤量室の底面に当接した第１の姿勢で前記仕切板を支持する第１支持部と、
前記第１支持部が前記第１の姿勢のときに前記秤量室における底面以外の内面に当接して前記仕切板を支持する第２支持部とを備えたことを特徴とする電子天秤用仕切部材。
【発明の詳細な説明】
【技術分野】
【０００１】
本発明は、電子天秤、及び、電子天秤の秤量室内に挿入される電子天秤用仕切部材に関するものである。
【背景技術】
【０００２】
電子天秤においては、試料を秤量皿上に直接載置し、又は、試料を保持する試料容器を秤量皿上に載置することにより、試料の計量を行うことができる。電子天秤の中には、外部の気流が計量精度に与える影響を抑制するために、秤量皿の周囲を風防ケースで覆うことができるような構成を有するものがある。
【０００３】
図５は、従来の電子天秤１００の構成例を示した概略側面図である。この電子天秤１００には、例えば秤量皿１０１を支持する本体ケース１０２と、本体ケース１０２の背面側に立設された背面ケース１０３と、秤量皿１０１の周囲を覆う風防ケース１０４とが備えられている。
【０００４】
本体ケース１０２内及び背面ケース１０３内には、それぞれ各種電気部品が収容されている。例えば、本体ケース１０２内には、試料を計量するための計量部や、計量値を表示するための表示部などが収容されている。また、背面ケース１０３内には、基板などが収容されている。
【０００５】
風防ケース１０４は、本体ケース１０２の上方に設けられており、秤量皿１０１上に試料を載置することができるように開閉可能な構成となっている。風防ケース１０４を閉じた状態では、当該風防ケース１０４と背面ケース１０３とで秤量皿１０１の周囲が覆われることにより秤量室１０５が形成され、外部の気流が遮断される。特に、電磁平衡式の電子天秤などのように、最小表示が０．１ｍｇ以下の高精度の電子天秤においては、外部の気流が計量精度に与える影響が大きいため、当該気流を遮断することが重要である。
【０００６】
しかしながら、上記のような風防ケース１０４を備えた構成であっても、秤量室１０５内で生じる対流の影響により、計量精度が低下するおそれがある。このような対流は、試料自体の温度や、本体ケース１０２内又は背面ケース１０３内の電気部品の温度が、秤量室１０５内の温度と異なることなどに起因している。
【０００７】
そのため、試料自体から生じる対流の他にも、本体ケース１０２や背面ケース１０３の隙間から秤量室１０５内に向かって対流Ｆ１０１，Ｆ１０２が発生したり、風防ケース１０４の周縁部の隙間に向かって秤量室１０５内に対流Ｆ１０３が発生したりする場合がある。このような場合には、試料又は試料を保持する試料容器が対流に晒されるため、秤量室１０５内の対流が不安定な状態では、秤量皿１０１に対する荷重が変動することにより計量精度が低下するおそれがある。
【０００８】
風防ケース１０４を開いて秤量室１０５内に試料を出し入れした後、風防ケース１０４を閉じた場合には、秤量室１０５内の対流が安定な状態となるまでに時間がかかる。この時間を短縮するためには、秤量室１０５の容積を小さくすることが効果的である。しかしながら、様々な形状の試料容器を秤量室１０５内に収容できるようにしようとした場合、秤量室１０５の容積を小さくするのにも限界がある。そこで、秤量室１０５内に仕切板を取り付けることにより、秤量室１０５を容積が小さい空間に仕切ることが考えられる（例えば、下記特許文献１及び２参照）。
【先行技術文献】
【特許文献】
【０００９】
【特許文献１】特許第５４４８０９０号公報
【特許文献２】特許第５３１７７４７号公報
【発明の概要】
【発明が解決しようとする課題】
【００１０】
秤量室１０５内に仕切板を取り付けるような構成の場合には、ねじなどの固定具を用いて仕切板を着脱する作業が煩雑であり、作業時間がかかるという問題がある。また、固定具の取付態様によっては、仕切板にがたつきが生じたり、部品が破損したりするなどの不具合が生じるおそれもある。さらに、仕切板を取り外した際には、その仕切板及び固定具の保管が必要となる。
【００１１】
本発明は、上記実情に鑑みてなされたものであり、固定具を用いることなく秤量室を仕切ることができる電子天秤及び電子天秤用仕切部材を提供することを目的とする。
【課題を解決するための手段】
【００１２】
本発明に係る電子天秤は、本体と、秤量皿と、仕切部材とを備える。前記本体には、秤量室が形成されている。前記秤量皿は、前記秤量室の底面に設けられ、試料が載置される。前記仕切部材は、前記秤量室内に挿入されている。
【００１３】
前記仕切部材は、仕切板と、第１支持部と、第２支持部とを有する。前記仕切板は、前記秤量室を仕切る。前記第１支持部は、前記秤量室の底面に当接した第１の姿勢で前記仕切板を支持する。前記第２支持部は、前記第１支持部が前記第１の姿勢のときに前記秤量室における底面以外の内面に当接して前記仕切板を支持する。
【００１４】
このような構成によれば、第１支持部を第１の姿勢として秤量室の底面に当接させるとともに、第２支持部を秤量室における底面以外の内面に当接させて、仕切板を支持することができる。これにより、仕切板を秤量室内に立て掛けた状態で配置して、固定具を用いることなく秤量室を仕切ることができる。したがって、秤量室に対して仕切板を着脱する際の作業が容易であり、作業時間を短縮することができる。また、固定具の取付態様に応じて不具合が生じたり、固定具の保管が必要になったりすることがない。
【００１５】
前記仕切板は、前記第１支持部が前記第１の姿勢とは異なる第２の姿勢で前記秤量室の底面に当接したときに、前記第２支持部が前記底面以外の内面に当接しない状態で支持されてもよい。
【００１６】
このような構成によれば、第１支持部を第２の姿勢として秤量室の底面に当接させることにより、第２支持部が秤量室における底面以外の内面に当接しない状態で、仕切板を支持することができる。このように、第１支持部を第１の姿勢又は第２の姿勢に切り替えることにより、秤量室を仕切板で仕切る態様を容易に切り替えることができる。また、秤量室を仕切板で仕切る態様を切り替えることにより、計量作業の邪魔にならないように仕切板を秤量室内に保管しておくことも可能である。
【００１７】
前記第２支持部は、前記仕切板に対して前記第１支持部側とは反対側に設けられていてもよい。
【００１８】
このような構成によれば、仕切板の一方側を第１支持部で秤量室の底面に対して支持し、仕切板の他方側を第２支持部で秤量室における底面以外の内面に対して支持することができる。したがって、仕切板を秤量室内に安定して立て掛けた状態で配置することができる。
【００１９】
前記第１支持部は、前記仕切板に連結された支柱により構成されていてもよい。
【００２０】
このような構成によれば、支柱により構成される第１支持部を用いて、仕切板を秤量室の底面に対して支持することができる。支柱を用いることにより、秤量室の底面における空きスペースが狭い場合であっても、その空きスペースに支柱を当接させて、仕切板を良好に支持することができる。
【００２１】
前記第１支持部は、２本の前記支柱により構成されていてもよい。
【００２２】
このような構成によれば、２本の支柱により構成される第１支持部を用いて、仕切板を秤量室の底面に対して安定して支持することができる。また、２本の支柱を秤量室の底面の隅に当接させれば、計量作業や他の部材の邪魔になるのを良好に防止することができる。
【００２３】
前記２本の支柱の間隔が、前記秤量皿の外径よりも大きくてもよい。
【００２４】
このような構成によれば、２本の支柱を秤量皿に接触させることなく、秤量室の底面に当接させて仕切板を支持することができる。２本の支柱が第１の姿勢及び第２の姿勢のいずれにおいても秤量皿に接触しないような構成とすれば、秤量室を仕切板で仕切る態様を円滑に切り替えることができる。また、支柱が３本以上の場合には、秤量室を仕切板で仕切る態様を切り替える際や、計量作業を行う際などに、支柱が邪魔になる可能性があるが、支柱が２本であれば支柱が邪魔になりにくい。
【００２５】
前記第２支持部は、前記仕切板の縁部により構成されていてもよい。
【００２６】
このような構成によれば、仕切板の縁部を秤量室における底面以外の内面に当接させて、仕切板を秤量室内に立て掛けることができる。このように、仕切板の一部を用いて第２支持部を構成することにより、仕切部材の構成を簡略化することができるとともに、秤量室を仕切板で仕切る態様を切り替える際や、計量作業を行う際などに、第２支持部が邪魔になるのを防止することができる。
【００２７】
前記第１支持部は、伸縮機構を備えていてもよい。
【００２８】
このような構成によれば、伸縮機構を用いて第１支持部を伸縮させることにより、秤量室内における仕切板の位置を調整し、仕切板により仕切られた空間の容積を任意に変更することができる。
【００２９】
本発明に係る電子天秤用仕切部材は、電子天秤の秤量室内に挿入される電子天秤用仕切部材であって、仕切板と、第１支持部と、第２支持部とを備える。前記仕切板は、前記秤量室を仕切る。前記第１支持部は、前記秤量室の底面に当接した第１の姿勢で前記仕切板を支持する。前記第２支持部は、前記第１支持部が前記第１の姿勢のときに前記秤量室における底面以外の内面に当接して前記仕切板を支持する。
【発明の効果】
【００３０】
本発明によれば、仕切板を秤量室内に立て掛けた状態で配置して、固定具を用いることなく秤量室を仕切ることができる。
【図面の簡単な説明】
【００３１】
【図１】本発明の一実施形態に係る電子天秤用仕切部材の構成例を示した斜視図である。
【図２Ａ】図１の仕切部材を備えた電子天秤の構成例を示した斜視図であり、仕切部材により秤量室が仕切られた状態を示している。
【図２Ｂ】図１の仕切部材を備えた電子天秤の構成例を示した斜視図であり、図２Ａの状態から仕切部材の姿勢を切り替える過程を示している。
【図２Ｃ】図１の仕切部材を備えた電子天秤の構成例を示した斜視図であり、図２Ａの状態から仕切部材の姿勢が切り替えられた状態を示している。
【図３Ａ】仕切部材を別の態様で秤量室内に挿入した場合の電子天秤の構成例を示した斜視図であり、仕切部材により秤量室が仕切られた状態を示している。
【図３Ｂ】仕切部材を別の態様で秤量室内に挿入した場合の電子天秤の構成例を示した斜視図であり、図３Ａの状態から仕切部材の姿勢を切り替える過程を示している。
【図３Ｃ】仕切部材を別の態様で秤量室内に挿入した場合の電子天秤の構成例を示した斜視図であり、図３Ａの状態から仕切部材の姿勢が切り替えられた状態を示している。
【図４】別実施形態に係る電子天秤用仕切部材の構成例を示した斜視図である。
【図５】従来の電子天秤の構成例を示した概略側面図である。
【発明を実施するための形態】
【００３２】
図１は、本発明の一実施形態に係る電子天秤用仕切部材１の構成例を示した斜視図である。この電子天秤用仕切部材１（以下、単に「仕切部材１」という。）は、電子天秤の秤量室内に挿入した状態で使用される。本実施形態における仕切部材１は、仕切板１１及び２本の支柱１２などを備えている。
【００３３】
仕切板１１は、秤量室を仕切る板状部材であり、秤量室の断面形状に対応する外形を有している。この例では、仕切板１１は正方形状に形成されているが、このような形状に限らず、秤量室の断面形状に合わせて長方形状や他の任意の形状で形成されていてもよい。仕切板１１は、透明又は半透明の部材であることが好ましく、例えばガラスにより形成されていてもよい。
【００３４】
２本の支柱１２は、それぞれの一端部が仕切板１１に連結されている。この例では、仕切板１１の２つの角部、より具体的には仕切板１１の一縁部１３における両端の角部に、各支柱１２の一端部が取り付けられている。各支柱１２は、ねじなどの固定具１４を用いて仕切板１１に取り付けられている。これにより、各支柱１２は、仕切板１１に対して着脱可能となっている。ただし、このような構成に限らず、各支柱１２が仕切板１１と一体的に形成されていてもよい。
【００３５】
各支柱１２は、仕切板１１に対して垂直方向に延びている。また、各支柱１２は同一形状であり、同一の長さを有している。したがって、各支柱１２の他端部（仕切板１１側とは反対側の端部）を秤量室の底面に当接させた状態で、図１に示すように、各支柱１２を鉛直方向に延びるようにして仕切板１１を支持すれば、仕切板１１が秤量室内で水平方向に延びる状態となる。
【００３６】
このとき、仕切板１１における上記一縁部１３とは反対側の他縁部１５を、秤量室における底面以外の内面に当接させれば、仕切板１１を秤量室内に立て掛けた状態で配置することができる。ここで、２本の支柱１２は第１支持部を構成し、仕切板１１の他縁部１５は第２支持部を構成している。これらの第１支持部及び第２支持部で仕切板１１を秤量室内に支持することにより、仕切板１１で秤量室を仕切ることができる。
【００３７】
本実施形態では、各支柱１２に伸縮機構１６が設けられることにより、各支柱１２の長さを調整することができるようになっている。具体的には、各支柱１２の先端部に、ねじからなる伸縮機構１６が設けられており、当該ねじの締付量を調整することにより、各支柱１２を伸縮させることができる。このように、伸縮機構１６を用いて各支柱１２を伸縮させることにより、秤量室内における仕切板１１の位置（高さ）を調整し、仕切板１１により仕切られた空間の容積を任意に変更することができる。
【００３８】
ただし、伸縮機構１６は、各支柱１２の先端部に取り付けられたねじにより構成されるものに限らず、例えば各支柱１２の中央部が伸縮可能な機構などのように、他の機構により構成されていてもよい。また、各支柱１２は、伸縮機構１６を備えていないような構成であってもよい。
【００３９】
図２Ａ〜図２Ｃは、図１の仕切部材１を備えた電子天秤２の構成例を示した斜視図である。電子天秤２は、例えば電磁平衡式であり、０．１ｍｇ以下の最小表示で高精度に計量を行うことができる。ただし、電子天秤２としては、電磁平衡式に限らず、ロードセル式などの他の任意の方式のものを用いることができる。
【００４０】
電子天秤２の本体２１内には秤量室２２が形成されており、当該秤量室２２内に仕切部材１が挿入されている。図２Ａは、仕切部材１により秤量室２２が仕切られた状態を示している。図２Ｂは、図２Ａの状態から仕切部材１の姿勢を切り替える過程を示している。図２Ｃは、図２Ａの状態から仕切部材１の姿勢が切り替えられた状態を示している。
【００４１】
本体２１には、例えば本体ケース２１１、背面ケース２１２及び風防ケース２１３が備えられている。本体ケース２１１上には、試料が載置される秤量皿２３が支持されている。本体ケース２１１内には、例えば試料を計量するための計量部や、計量値を表示するための表示部などの各種電気部品（図示せず）が収容されている。この例では、秤量皿２３が平面視で円形状に形成されているが、このような構成に限らず、例えば四角形状などの他の形状であってもよい。
【００４２】
背面ケース２１２及び風防ケース２１３は、本体ケース２１１上に設けられている。背面ケース２１２は、本体ケース２１１の背面側に立設され、例えば基板などが内部に収容されている。風防ケース２１３は、背面ケース２１２の手前側に設けられ、背面ケース２１２とともに秤量皿２３の周囲を覆うことにより秤量室２２を形成している。すなわち、秤量室２２の内面は、本体ケース２１１、背面ケース２１２及び風防ケース２１３により形成されており、秤量室２２の底面２２１を構成する本体ケース２１１の上面に秤量皿２３が設けられている。
【００４３】
このように、秤量皿２３の周囲が覆われることにより、外部の気流を遮断することができる。風防ケース２１３の両側面は開閉扉２１４となっており、例えば前後方向Ｄ１に開閉扉２１４をスライドさせることにより秤量室２２を開閉することができる。秤量室２２内に試料を出し入れする際には、いずれか一方の開閉扉２１４を開くことにより、本体２１の側方から秤量室２２内に作業者が手を入れることができる。
【００４４】
図２Ａに示すように、仕切部材１は秤量室２２内に挿入され、仕切板１１によって秤量室２２が上下２つの空間に仕切られる。これにより、秤量皿２３の周囲の秤量室２２の容積を小さくすることができる。当該容積は、各支柱１２の長さに応じて任意に設定することができる。なお、秤量室２２の内部若しくは秤量室２２の背面に除電装置（図示せず）が設けられている場合には、仕切部材１が除電装置の上に挿入されるように各支柱１２の長さを設定することで、試料の静電気をすばやく軽減することができる。
【００４５】
この図２Ａの状態では、第１支持部としての各支柱１２が秤量室２２の底面２２１に当接した姿勢（第１の姿勢）で仕切板１１が支持される。このとき、第２支持部としての仕切板１１の他縁部１５は、秤量室２２における底面２２１以外の内面に当接して仕切板１１を支持する。
【００４６】
具体的には、仕切板１１の一縁部１３が、風防ケース２１３により構成される秤量室２２の前面に対向し、その一縁部１３の両端部に設けられた各支柱１２の先端部が、秤量室２２の底面２２１における手前側の２隅に当接している。また、仕切板１１の他縁部１５が、背面ケース２１２により構成される秤量室２２の背面に当接している。
【００４７】
これにより、仕切板１１を秤量室２２内に立て掛けた状態で配置して、固定具を用いることなく秤量室２２を仕切ることができる。したがって、秤量室２２に対して仕切板１１を着脱する際の作業が容易であり、作業時間を短縮することができる。また、固定具の取付態様に応じて不具合が生じたり、固定具の保管が必要になったりすることがない。
【００４８】
なお、風防ケース２１３は、透明又は半透明であり、風防ケース２１３を介して秤量室２２の内部を視認することができる。また、仕切部材１の仕切板１１も透明又は半透明であるため、秤量室２２内における秤量皿２３上の試料を作業者が視認する際に、仕切板１１が妨げになるのを防止することができる。
【００４９】
また、本実施形態では、第２支持部としての仕切板１１の他縁部１５が、仕切板１１に対して、第１支持部としての各支柱１２側（一縁部１３側）とは反対側に設けられている。これにより、仕切板１１の一方側を各支柱１２で秤量室２２の底面２２１に対して支持し、仕切板１１の他方側を他縁部１５で秤量室２２における底面２２１以外の内面に対して支持することができる。したがって、仕切板１１を秤量室２２内に安定して立て掛けた状態で配置することができる。
【００５０】
さらに、本実施形態では、支柱１２により構成される第１支持部を用いて、仕切板１１を秤量室２２の底面２２１に対して良好に支持することができる。すなわち、支柱１２を用いることにより、秤量室２２の底面２２１における空きスペースが狭い場合であっても、その空きスペース（例えば底面２２１の隅）に支柱１２を当接させて、仕切板１１を良好に支持することができる。
【００５１】
特に、２本の支柱１２により構成される第１支持部を用いることにより、仕切板１１を秤量室２２の底面２２１に対して安定して支持することができる。また、２本の支柱１２を秤量室２２の底面２２１の隅に当接させることにより、計量作業や他の部材の邪魔になるのを良好に防止することができる。すなわち、開閉扉２１４を開いたときに、作業者が手を出し入れする開口部に支柱１２が突出したり、支柱１２が他の部材を塞いでしまったりするのを防止することができる。
【００５２】
図２Ａに示すような状態から、幅方向Ｄ２を中心に秤量室２２内で仕切部材１を回転させれば、図２Ｂに示すような状態を経て、図２Ｃに示すような姿勢に切り替えることができる。図２Ｃのように、図２Ａの状態から仕切部材１を９０°回転させた場合には、第１支持部としての各支柱１２が、長手方向全体にわたって秤量室２２の底面２２１に当接した姿勢（第２の姿勢）となる。
【００５３】
図２Ｃの状態では、仕切板１１は、第２支持部としての他縁部１５が秤量室２２の底面２２１以外の内面に当接しない状態で、秤量室２２の前面に沿って鉛直方向に延びるように支持される。このように、仕切板１１が秤量室２２の前面に対向した状態であっても、仕切板１１が透明又は半透明であれば、図２Ｃの状態で秤量室２２内における秤量皿２３上の試料を作業者が視認する際に、仕切板１１が妨げになるのを防止することができる。
【００５４】
本実施形態では、各支柱１２を第１の姿勢（図２Ａ参照）又は第２の姿勢（図２Ｃ参照）に切り替えることにより、秤量室２２を仕切板１１で仕切る態様を容易に切り替えることができる。図２Ａの状態では、試料を秤量皿２３上に直接載置して、又は、比較的小さい試料容器を秤量皿２３上に載置して計量を行うことができる。一方、図２Ｃの状態では、比較的大きい試料容器を秤量皿２３上に載置して計量を行うことができる。
【００５５】
また、秤量室２２を仕切板１１で仕切る態様を切り替えることにより、計量作業の邪魔にならないように仕切板１１を秤量室２２内に保管しておくことも可能である。すなわち、図２Ｃに示すように、仕切板１１を秤量室２２の前面に沿って鉛直方向に延びるように支持しておけば、仕切板１１が計量作業の邪魔になるのを防止することができる。
【００５６】
２本の支柱１２の間隔は、秤量皿２３の外径よりも大きい。すなわち、２本の支柱１２の幅方向Ｄ２に沿った間隔が、秤量皿２３の幅方向Ｄ２に沿った長さよりも大きくなるように設計されている。したがって、図２Ｂに示すように２本の支柱１２を秤量皿２３に接触させることなく仕切部材１を回転させ、図２Ｃに示すように秤量室２２の底面２２１に２本の支柱１２を当接させて仕切板１１を支持することができる。
【００５７】
このように、２本の支柱１２が第１の姿勢（図２Ａ参照）及び第２の姿勢（図２Ｃ参照）のいずれにおいても秤量皿２３に接触しないような構成とすることにより、秤量室２２を仕切板１１で仕切る態様を円滑に切り替えることができる。また、支柱１２が３本以上の場合には、秤量室２２を仕切板１１で仕切る態様を切り替える際や、計量作業を行う際などに、支柱１２が邪魔になる可能性があるが、支柱１２が２本であれば支柱１２が邪魔になりにくい。
【００５８】
本実施形態では、第２支持部が仕切板１１の縁部（他縁部１５）により構成されているため、図２Ａに示すように、当該縁部を秤量室２２における底面２２１以外の内面に当接させて、仕切板１１を秤量室２２内に立て掛けることができる。このように、仕切板１１の一部を用いて第２支持部を構成することにより、仕切部材１の構成を簡略化することができる。
【００５９】
また、秤量室２２を仕切板１１で仕切る態様を切り替える際や、計量作業を行う際などに、第２支持部が邪魔になるのを防止することができる。すなわち、図２Ｂに示すように仕切部材１を秤量室２２内で回転させる際に、第２支持部が秤量室２２の内面に接触するのを防止することができるとともに、図２Ｃに示す状態で第２支持部が秤量室２２内に突出して計量作業の邪魔になるのを防止することができる。
【００６０】
図３Ａ〜図３Ｃは、仕切部材１を別の態様で秤量室２２内に挿入した場合の電子天秤２の構成例を示した斜視図である。図３Ａは、仕切部材１により秤量室２２が仕切られた状態を示している。図３Ｂは、図３Ａの状態から仕切部材１の姿勢を切り替える過程を示している。図３Ｃは、図３Ａの状態から仕切部材１の姿勢が切り替えられた状態を示している。
【００６１】
図３Ａの状態では、仕切板１１によって秤量室２２が上下２つの空間に仕切られ、第１支持部としての各支柱１２が秤量室２２の底面２２１に当接した姿勢（第１の姿勢）で仕切板１１が支持される。このとき、第２支持部としての仕切板１１の他縁部１５は、秤量室２２における底面２２１以外の内面に当接して仕切板１１を支持する。
【００６２】
この例では、秤量室２２内に挿入された仕切部材１の向きが、図２Ａ〜図２Ｃの場合とは異なっている。具体的には、図３Ａに示すような状態で、仕切板１１の一縁部１３が、風防ケース２１３により構成される秤量室２２の前面ではなく、背面ケース２１２により構成される秤量室２２の背面に対向している。そして、仕切板１１の一縁部１３の両端部に設けられた各支柱１２の端部が、秤量室２２の底面２２１における背面側の２隅に当接している。また、仕切板１１の他縁部１５が、背面ケース２１２により構成される秤量室２２の背面ではなく、風防ケース２１３により構成される秤量室２２の前面に当接している。
【００６３】
図３Ａに示すような状態から、幅方向Ｄ２を中心に、図２Ｂの場合とは反対方向に秤量室２２内で仕切部材１を回転させれば、図３Ｂに示すような状態を経て、図３Ｃに示すような姿勢に切り替えることができる。図３Ｃの状態では、第１支持部としての各支柱１２が、長手方向全体にわたって秤量室２２の底面２２１に当接した姿勢（第２の姿勢）となる。
【００６４】
図３Ｃの状態では、仕切板１１は、第２支持部としての他縁部１５が秤量室２２の底面２２１以外の内面に当接しない状態で、秤量室２２の背面に沿って鉛直方向に延びるように支持される。このように、仕切板１１が秤量室２２の背面に対向した状態の場合には、仕切板１１が透明又は半透明であるか否かにかかわらず、図３Ｃの状態で秤量室２２内における秤量皿２３上の試料を作業者が視認する際に、仕切板１１が妨げになることがない。
【００６５】
一方で、秤量室２２の背面に除電装置（図示せず）などの所定の部材が設けられている場合には、図３Ｃの状態で当該部材を仕切板１１で覆ってしまうこととなる。このような場合には、仕切板１１が上記部材の妨げになるのを防止するという観点から、図２Ａ〜図２Ｃに示すような向きで秤量室２２内に仕切部材１が挿入されることが好ましい。
【００６６】
以上の実施形態では、各支柱１２が同一形状であり、同一の長さを有している場合について説明した。しかし、このような構成に限らず、各支柱１２が異なる形状からなり、異なる長さを有していてもよい。また、支柱１２は２本に限らず、１本だけ設けられた構成であってもよいし、３本以上設けられた構成であってもよい。ただし、第１支持部は支柱１２に限らず、他の部材により構成することも可能である。
【００６７】
図４は、別実施形態に係る電子天秤用仕切部材１の構成例を示した斜視図である。本実施形態では、第１支持部が支柱１２ではなく支持板１７により構成されている。支持板１７は、仕切板１１の一縁部１３から、当該仕切板１１に対して垂直方向に延びるように突出している。これにより、仕切部材１がＬ字状に形成されている。
【００６８】
図４に示すように、支持板１７の先端縁（仕切板１１側とは反対側の端縁）を秤量室２２の底面２２１に当接させた姿勢（第１の姿勢）で、支持板１７を鉛直方向に延びるようにして仕切板１１を支持すれば、仕切板１１が秤量室２２内で水平方向に延びる状態となる。このとき、仕切板１１における上記一縁部１３とは反対側の他縁部１５を、秤量室２２における底面２２１以外の内面に当接させれば、仕切板１１を秤量室２２内に立て掛けた状態で配置し、仕切板１１で秤量室２２を仕切ることができる。支持板１７には、伸縮機構（図示せず）が設けられることにより、支持板１７の長さを調整することができるようになっていてもよい。
【００６９】
このように、第１支持部を支持板１７により構成した場合には、図２Ａに示した場合と同様に、秤量室２２の底面２２１における手前側に支持板１７の先端縁が当接するように、仕切部材１が秤量室２２内に配置されることが好ましい。この場合、支持板１７が秤量室２２の前面に対向した状態となるが、支持板１７が透明又は半透明に形成されていれば、秤量室２２内を作業者が視認する際に、支持板１７が妨げになるのを防止することができる。
【００７０】
一方、図３Ａに示した場合と同様に、秤量室２２の底面２２１における背面側に支持板１７の先端縁が当接するように、仕切部材１が秤量室２２内に配置された場合には、図４に示すように、背面ケース２１２により構成される秤量室２２の背面に支持板１７が対向する。そのため、秤量室２２内を除電するための除電装置３などの所定の部材が秤量室２２の背面に設けられている場合には、支持板１７に開口１７１を形成することにより、支持板１７が上記部材の妨げになるのを防止することが好ましい。
【００７１】
上記開口１７１は、秤量皿２３の外形よりも大きい形状であることが好ましい。この場合、仕切部材１を９０°回転させて支持板１７の表面を秤量室２２の底面２２１に当接させた姿勢（第２の姿勢）としたときに、開口１７１内に秤量皿２３を挿入させ、仕切板１１が秤量皿２３に接触するのを防止することができる。ただし、このような構成に限らず、仕切板１１には上記開口１７１とは別の開口又は切欠きが形成されていてもよいし、上記開口１７１の代わりに切欠きが形成されていてもよい。
【００７２】
以上の実施形態では、仕切部材１が秤量室２２内で回転可能な構成について説明した。しかし、このような構成に限らず、例えば仕切部材１を秤量室２２から一旦抜き出して、姿勢を変更して再び秤量室２２内に挿入してもよい。また、仕切部材１の姿勢を変更できないような構成であってもよい。
【００７３】
また、以上の実施形態では、第２支持部が仕切板１１の縁部により構成される場合について説明した。しかし、このような構成に限らず、仕切板１１とは異なる部材により第２支持部が構成されていてもよい。この場合、例えば仕切板１１の縁部に取り付けたエッジガードなどの部材により第２支持部が構成されていてもよい。
【００７４】
本体２１は、本体ケース２１１、背面ケース２１２及び風防ケース２１３により構成されるものに限らない。また、開閉扉２１４は、風防ケース２１３の両側面に設けられた構成に限らず、例えば風防ケース２１３の一側面にのみ設けられていてもよいし、前面に設けられていてもよい。また、本体２１の他の部分に開閉扉２１４が設けられた構成であってもよい。
【００７５】
仕切部材１は、電子天秤２に対して着脱可能であるため、電子天秤２とは別に提供することも可能である。この場合、既存の電子天秤２の秤量室２２の形状に合わせて仕切部材１を設計することにより、既存の電子天秤２に対して着脱可能な仕切部材１を提供することができる。このように、仕切部材１の形状は、電子天秤２の秤量室２２の形状に合わせて任意に設計することができ、例えば秤量室２２の内面が曲面形状である場合においても、その曲面形状に合わせて設計することが可能である。
【符号の説明】
【００７６】
１    仕切部材
２    電子天秤
３    除電装置
１１    仕切板
１２    支柱
１３    一縁部
１４    固定具
１５    他縁部
１６    伸縮機構
１７    支持板
２１    本体
２２    秤量室
２３    秤量皿
１７１    開口
２１１    本体ケース
２１２    背面ケース
２１３    風防ケース
２１４    開閉扉
２２１    底面
【図１】
0006451570.tif 000002
【図２Ａ】
0006451570.tif 000003
【図２Ｂ】
0006451570.tif 000004
【図２Ｃ】
0006451570.tif 000005
【図３Ａ】
0006451570.tif 000006
【図３Ｂ】
0006451570.tif 000007
【図３Ｃ】
0006451570.tif 000008
【図４】
0006451570.tif 000009
【図５】
0006451570.tif 000010